(57)【要約】【構成】撮像装置１６は、撮像面で捉えられた光学像に対応する生画像データを繰り返し出力し、信号処理回路２２は出力された生画像データをＹＵＶ形式の画像データに変換する。ＣＰＵ３６は、信号処理回路２２から出力された画像データの輝度分布に対して相補的な照度分布を示す投光パターンをシャッタボタン４０ｓｈの半押しに応答して定義し、定義された投光パターンを有する光学像を撮像面の前方に向けて投射するべくプロジェクタ４６を起動する。ＣＰＵ３６はまた、光学像が投光された後に信号処理回路２２から出力された画像データに基づいて撮像面の露光量を調整し、露光調整の後に信号処理回路２２から出力された画像データを記録のために取得する。【効果】記録画像の品質が向上する。【選択図】図２
2013126200.tif 000002
【特許請求の範囲】
【請求項１】
撮像面で捉えられた光学像に対応する電子画像を繰り返し出力する撮像手段、
前記撮像手段から出力された電子画像の輝度分布に対して相補的な照度分布を定義操作に応答して定義する定義手段、
前記定義手段によって定義された照度分布を有する光学像を前記撮像面の前方に向けて投射する投射手段、
前記投射手段の処理の後に前記撮像手段から出力された電子画像に基づいて前記撮像面の露光量を調整する調整手段、および
前記調整手段の処理の後に前記撮像手段から出力された電子画像を記録のために取得する取得手段を備える、電子カメラ。
【請求項２】
前記定義手段は、前記電子画像の全体輝度が基準以上のとき低輝度領域を投光領域として指定する第１指定手段、前記電子画像の全体輝度が前記基準未満のとき高輝度領域を除く領域を投光領域として指定する第２指定手段を含む、請求項１記載の電子カメラ。
【請求項３】
１または２以上の特定物体像を前記撮像手段から出力された電子画像から探索する探索手段をさらに備え、
前記第１指定手段は前記探索手段によって探知された１または２以上の特定物体像のうち低輝度の特定物体像が現れた領域を前記投光領域として指定する低輝度物体指定手段を含み、
前記第２指定手段は前記探索手段によって探知された１または２以上の特定物体像のうち高輝度の特定物体像が現れた領域を前記投光領域から除外する高輝度物体除外手段を含む、請求項２記載の電子カメラ。
【請求項４】
前記第１指定手段および前記第２指定手段の各々によって注目される全体輝度は閾値を下回る輝度の平均に相当する、請求項２または３記載の電子カメラ。
【請求項５】
前記取得手段は前記定義操作の後の取得操作に応答して取得処理を実行する、請求項１ないし４のいずれかに記載の電子カメラ。
【請求項６】
撮像面で捉えられた光学像に対応する電子画像を繰り返し出力する撮像手段を備える電子カメラのプロセッサに、
前記撮像手段から出力された電子画像の輝度分布に対して相補的な照度分布を定義操作に応答して定義する定義ステップ、
前記定義ステップによって定義された照度分布を有する光学像を前記撮像面の前方に向けて投射する投射ステップ、
前記投射ステップの処理の後に前記撮像手段から出力された電子画像に基づいて前記撮像面の露光量を調整する調整ステップ、および
前記調整ステップの処理の後に前記撮像手段から出力された電子画像を記録のために取得する取得ステップを実行させるための、撮像制御プログラム。
【請求項７】
撮像面で捉えられた光学像に対応する電子画像を繰り返し出力する撮像手段を備える電子カメラによって実行される撮像制御方法であって、
前記撮像手段から出力された電子画像の輝度分布に対して相補的な照度分布を定義操作に応答して定義する定義ステップ、
前記定義ステップによって定義された照度分布を有する光学像を前記撮像面の前方に向けて投射する投射ステップ、
前記投射ステップの処理の後に前記撮像手段から出力された電子画像に基づいて前記撮像面の露光量を調整する調整ステップ、および
前記調整ステップの処理の後に前記撮像手段から出力された電子画像を記録のために取得する取得ステップを備える、撮像制御方法。
【請求項８】
撮像面で捉えられた光学像に対応する電子画像を繰り返し出力する撮像手段、および
メモリに保存された内部制御プログラムに従う処理を実行するプロセッサを備える電子カメラに供給される外部制御プログラムであって、
前記撮像手段から出力された電子画像の輝度分布に対して相補的な照度分布を定義操作に応答して定義する定義ステップ、
前記定義ステップによって定義された照度分布を有する光学像を前記撮像面の前方に向けて投射する投射ステップ、
前記投射ステップの処理の後に前記撮像手段から出力された電子画像に基づいて前記撮像面の露光量を調整する調整ステップ、および
前記調整ステップの処理の後に前記撮像手段から出力された電子画像を記録のために取得する取得ステップを前記内部制御プログラムと協働して前記プロセッサに実行させるための、外部制御プログラム。
【請求項９】
撮像面で捉えられた光学像に対応する電子画像を繰り返し出力する撮像手段、
外部制御プログラムを取り込む取り込み手段、および
前記取り込み手段によって取り込まれた外部制御プログラムとメモリに保存された内部制御プログラムとに従う処理を実行するプロセッサを備える電子カメラであって、
前記外部制御プログラムは、
前記撮像手段から出力された電子画像の輝度分布に対して相補的な照度分布を定義操作に応答して定義する定義ステップ、
前記定義ステップによって定義された照度分布を有する光学像を前記撮像面の前方に向けて投射する投射ステップ、
前記投射ステップの処理の後に前記撮像手段から出力された電子画像に基づいて前記撮像面の露光量を調整する調整ステップ、および
前記調整ステップの処理の後に前記撮像手段から出力された電子画像を記録のために取得する取得ステップを前記内部制御プログラムと協働して実行するプログラムに相当する、電子カメラ。
【発明の詳細な説明】
【技術分野】
【０００１】
この発明は、電子カメラに関し、特に撮像面の前方に向けて光を投射する機能を有する、電子カメラに関する。
【背景技術】
【０００２】
この種のカメラの一例が、特許文献１に開示されている。この背景技術によれば、投射ユニット設けられた液晶パネルは、背面からＬＥＤ光源で照明される。これによって、液晶パネルで形成された光学像がスクリーンに投影される。撮像ユニットは、スクリーンを捉えて画像データを出力する。スクリーンの前に現れたプレゼンターの顔が撮像ユニットの出力に基づいて検出されると、スクリーンに投影される光学像の輝度が低減される。
【先行技術文献】
【特許文献】
【０００３】
【特許文献１】特開２００８−１４８０８９号公報
【発明の概要】
【発明が解決しようとする課題】
【０００４】
しかし、背景技術では、撮像ユニットから出力された画像データを記録する撮像モードにおいて投射ユニットを駆動することを想定しておらず、記録画像の品質に限界がある。
【０００５】
それゆえに、この発明の主たる目的は、記録画像の品質を高めることができる、電子カメラを提供することである。
【課題を解決するための手段】
【０００６】
この発明に従う電子カメラ(10：実施例で相当する参照符号。以下同じ)は、撮像面で捉えられた光学像に対応する電子画像を繰り返し出力する撮像手段(16)、撮像手段から出力された電子画像の輝度分布に対して相補的な照度分布を定義操作に応答して定義する定義手段(S51~S57, S61~S69)、定義手段によって定義された照度分布を有する光学像を撮像面の前方に向けて投射する投射手段(S59)、投射手段の処理の後に撮像手段から出力された電子画像に基づいて撮像面の露光量を調整する調整手段(S9)、および調整手段の処理の後に撮像手段から出力された電子画像を記録のために取得する取得手段(S15)を備える。
【０００７】
好ましくは、定義手段は、電子画像の全体輝度が基準以上のとき低輝度領域を投光領域として指定する第１指定手段(S51~S55)、電子画像の全体輝度が基準未満のとき高輝度領域を除く領域を投光領域として指定する第２指定手段(S61~S69)を含む。
【０００８】
或る局面では、１または２以上特定物体像を撮像手段から出力された電子画像から探索する探索手段(S41)がさらに備えられ、第１指定手段は探索手段によって探知された１または２以上の特定物体像のうち低輝度の特定物体像が現れた領域を投光領域として指定する低輝度物体指定手段(S53~S55)を含み、第２指定手段は探索手段によって探知された１または２以上の特定物体像のうち高輝度の特定物体像が現れた領域を投光領域から除外する高輝度物体除外手段(S67~S69)を含む。
【０００９】
他の局面では、第１指定手段および第２指定手段の各々によって注目される全体輝度は閾値を下回る輝度の平均に相当する。
【００１０】
好ましくは、取得手段は定義操作の後の取得操作に応答して取得処理を実行する。
【００１１】
この発明に従う撮像制御プログラムは、撮像面で捉えられた光学像に対応する電子画像を繰り返し出力する撮像手段(16)を備える電子カメラ(10)のプロセッサ(36)に、撮像手段から出力された電子画像の輝度分布に対して相補的な照度分布を定義操作に応答して定義する定義ステップ(S51~S57, S61~S69)、定義ステップによって定義された照度分布を有する光学像を撮像面の前方に向けて投射する投射ステップ(S59)、投射ステップの処理の後に撮像手段から出力された電子画像に基づいて撮像面の露光量を調整する調整ステップ(S9)、および調整ステップの処理の後に撮像手段から出力された電子画像を記録のために取得する取得ステップ(S15)を実行させるための、撮像制御プログラムである。
【００１２】
この発明に従う撮像制御方法は、撮像面で捉えられた光学像に対応する電子画像を繰り返し出力する撮像手段(16)を備える電子カメラ(10)によって実行される撮像制御方法であって、撮像手段から出力された電子画像の輝度分布に対して相補的な照度分布を定義操作に応答して定義する定義ステップ(S51~S57, S61~S69)、定義ステップによって定義された照度分布を有する光学像を撮像面の前方に向けて投射する投射ステップ(S59)、投射ステップの処理の後に撮像手段から出力された電子画像に基づいて撮像面の露光量を調整する調整ステップ(S9)、および調整ステップの処理の後に撮像手段から出力された電子画像を記録のために取得する取得ステップ(S15)を備える。
【００１３】
この発明に従う外部制御プログラムは、撮像面で捉えられた光学像に対応する電子画像を繰り返し出力する撮像手段(16)、およびメモリ(38)に保存された内部制御プログラムに従う処理を実行するプロセッサ(36)を備える電子カメラ(10)に供給される外部制御プログラムであって、撮像手段から出力された電子画像の輝度分布に対して相補的な照度分布を定義操作に応答して定義する定義ステップ(S51~S57, S61~S69)、定義ステップによって定義された照度分布を有する光学像を撮像面の前方に向けて投射する投射ステップ(S59)、投射ステップの処理の後に撮像手段から出力された電子画像に基づいて撮像面の露光量を調整する調整ステップ(S9)、および調整ステップの処理の後に撮像手段から出力された電子画像を記録のために取得する取得ステップ(S15)を内部制御プログラムと協働してプロセッサに実行させるための、外部制御プログラムである。
【００１４】
この発明に従う電子カメラ(10)は、撮像面で捉えられた光学像に対応する電子画像を繰り返し出力する撮像手段(16)、外部制御プログラムを取り込む取り込み手段(48)、および取り込み手段によって取り込まれた外部制御プログラムとメモリ(38)に保存された内部制御プログラムとに従う処理を実行するプロセッサ(36)を備える電子カメラであって、外部制御プログラムは、撮像手段から出力された電子画像の輝度分布に対して相補的な照度分布を定義操作に応答して定義する定義ステップ(S51~S57, S61~S69)、定義ステップによって定義された照度分布を有する光学像を撮像面の前方に向けて投射する投射ステップ(S59)、投射ステップの処理の後に撮像手段から出力された電子画像に基づいて撮像面の露光量を調整する調整ステップ(S9)、および調整ステップの処理の後に撮像手段から出力された電子画像を記録のために取得する取得ステップ(S15)を内部制御プログラムと協働して実行するプログラムに相当する。
【発明の効果】
【００１５】
この発明によれば、撮像面の前方に向けて投射される光は、撮像手段から出力された電子画像の輝度分布に対して相補的な照度分布を有する。撮像面の露光量は投射の後に撮像手段から出力された電子画像に基づいて調整され、記録のための電子画像は露光調整の後に取得される。これによって、記録画像の品質を高めることができる。
【００１６】
この発明の上述の目的，その他の目的，特徴および利点は、図面を参照して行う以下の実施例の詳細な説明から一層明らかとなろう。
【図面の簡単な説明】
【００１７】
【図１】この発明の一実施例の基本的構成を示すブロック図である。
【図２】この発明の一実施例の構成を示すブロック図である。
【図３】撮像面における評価エリアの割り当て状態の一例を示す図解図である。
【図４】（Ａ）はカメラ筐体を前方から眺めた状態の一例を示す図解図であり、（Ｂ）はカメラ筐体を後方から眺めた状態の一例を示す図解図である。
【図５】（Ａ）は投光前に作成された画像データの一例を示す図解図であり、（Ｂ）は投光領域の一例を示す図解図である。
【図６】投光後に作成された画像データの一例を示す図解図である。
【図７】（Ａ）は投光前に作成された画像データの他の一例を示す図解図であり、（Ｂ）は投光領域の他の一例を示す図解図である。
【図８】投光後に作成された画像データの他の一例を示す図解図である。
【図９】図２実施例に適用されるＣＰＵの動作の一部を示すフロー図である。
【図１０】図２実施例に適用されるＣＰＵの動作の他の一部を示すフロー図である。
【図１１】図２実施例に適用されるＣＰＵの動作のその他の一部を示すフロー図である。
【図１２】図２実施例に適用されるＣＰＵの動作のさらにその他の一部を示すフロー図である。
【図１３】この発明の他の実施例の構成を示すブロック図である。
【発明を実施するための形態】
【００１８】
以下、この発明の実施の形態を図面を参照しながら説明する。
［基本的構成］
【００１９】
図１を参照して、この実施例の電子カメラは、基本的に次のように構成される。撮像手段１は、撮像面で捉えられた光学像に対応する電子画像を繰り返し出力する。定義手段２は、撮像手段１から出力された電子画像の輝度分布に対して相補的な照度分布を定義操作に応答して定義する。投射手段３は、定義手段２によって定義された照度分布を有する光学像を撮像面の前方に向けて投射する。調整手段４は、投射手段３の処理の後に撮像手段１から出力された電子画像に基づいて撮像面の露光量を調整する。取得手段５は、調整手段４の処理の後に撮像手段１から出力された電子画像を記録のために取得する。
【００２０】
撮像面の前方に向けて投射される光は、撮像手段１から出力された電子画像の輝度分布に対して相補的な照度分布を有する。撮像面の露光量は投射の後に撮像手段１から出力された電子画像に基づいて調整され、記録のための電子画像は露光調整の後に取得される。これによって、記録画像の品質を高めることができる。
［実施例］
【００２１】
図２を参照して、この実施例のディジタルカメラ１０は、ドライバ１８ａおよび１８ｂによってそれぞれ駆動されるフォーカスレンズ１２および絞り機構１４を含む。フォーカスレンズ１２および絞り機構１４を経た光学像は、撮像装置１６の撮像面に照射され、光電変換を施される。これによって、撮像面で捉えられたシーンを表す電荷が生成される。
【００２２】
電源が投入されると、ＣＰＵ３６は、動画取り込み処理を実行するべく、ドライバ１８ｃに露光動作および電荷読み出し動作の繰り返しを命令する。ドライバ１８ｃは、ＳＧ２０から周期的に出力される垂直同期信号Ｖｓｙｎｃに応答して、撮像面を露光し、かつ撮像面で生成された電荷をラスタ走査態様で読み出す。撮像装置１６からは、読み出された電荷に基づく生画像データが周期的に出力される。
【００２３】
信号処理回路２２は、撮像装置１６から出力された生画像データに白バランス調整，色分離，ＹＵＶ変換などの処理を施し、これによって作成されたＹＵＶ形式の画像データをメモリ制御回路２４を通してＳＤＲＡＭ２６の表示画像エリア２６ａに書き込む。
【００２４】
ＬＣＤドライバ２８は、表示画像エリア２６ａに格納された画像データをメモリ制御回路２４を通して読み出し、読み出された画像データに基づいてＬＣＤモニタ３０を駆動する。この結果、撮像面で捉えられたシーンを表すライブ画像がモニタ画面に表示される。
【００２５】
図３を参照して、撮像面の中央には評価エリアＥＶＡが割り当てられる。評価エリアＥＶＡは水平方向および垂直方向の各々において１６分割され、合計２５６個の分割エリアによって評価エリアＥＶＡが形成される。
【００２６】
輝度評価回路３２は、信号処理回路２２から出力されたＹデータのうち評価エリアＥＶＡに属するＹデータを分割エリア毎に積分する。積分処理は垂直同期信号Ｖｓｙｎｃが発生する毎に実行され、この結果、２５６個の積分値（＝２５６個の輝度評価値）が垂直同期信号に応答して輝度評価回路３２から出力される。
【００２７】
また、ＡＦ評価回路３４は、同じ評価エリアＥＶＡに属するＹデータの高域周波数成分を分割エリア毎に積分する。この積分処理も垂直同期信号Ｖｓｙｎｃが発生する毎に実行され、この結果、２５６個の積分値（＝２５６個のＡＦ評価値）が垂直同期信号に応答してＡＦ評価回路３４から出力される。
【００２８】
キー入力装置４０に設けられたシャッタボタン４０ｓｈが非操作状態のとき、ＣＰＵ３６は、輝度評価回路３２から出力された輝度評価値に基づいて適正ＥＶ値を算出するべく、簡易ＡＥ処理を繰り返し実行する。算出された適正ＥＶ値を定義する絞り量および露光時間は、ドライバ１８ｂおよび１８ｃにそれぞれ設定される。この結果、ＬＣＤモニタ３０に表示されるライブ画像の明るさが適度に調整される。
【００２９】
シャッタボタン４０ｓｈが半押しされると、ＣＰＵ３６は、後段で詳述する投光制御処理を実行する。信号処理回路２２から出力される画像データの輝度が全体的に低いか、或いは輝度分布にばらつきがある場合は、この画像データの輝度分布に対して相補的な照度分布を示す投光パターンが定義され、プロジェクタ４６が起動される。
【００３０】
図４（Ａ）および図４（Ｂ）を参照して、フォーカスレンズ１２はカメラ筐体ＣＢ１の前面に設けられ、プロジェクタ４６の投影レンズ４６Ｌもまたカメラ筐体ＣＢ１の前面に設けられる。また、シャッタボタン４０ｓｈはカメラ筐体ＣＢ１の上面に設けられ、ＬＣＤモニタ３０はカメラ筐体ＣＢ１の背面に設けられる。
【００３１】
プロジェクタ４６は、上述の要領で定義された投光パターンを有する光学像を投影レンズ４６Ｌを通してカメラ筐体ＣＢ１の前方に投射する。この結果、撮像面で捉えられるシーンの明るさひいては信号処理回路２２から出力される画像データの輝度が、全体的に増大する。
【００３２】
ＣＰＵ３６はその後、輝度評価回路３２から出力された輝度評価値に基づいて最適ＥＶ値を算出するべく、厳格ＡＥ処理を実行する。算出された最適ＥＶ値を定義する絞り量および露光時間は、上述と同様、ドライバ１８ｂおよび１８ｃにそれぞれ設定される。これによって、ＬＣＤモニタ３０に表示されるライブ画像の明るさが厳格に調整される。
【００３３】
ＣＰＵ３６はさらに、ＡＦ評価回路３４から出力されたＡＦ評価値に基づいてＡＦ処理を実行する。フォーカスレンズ１２は光軸方向に移動され、ＡＦ評価回路３４から出力されたＡＦ評価値はフォーカスレンズ１２の移動処理と並列して繰り返し取り込まれる。合焦点は取り込まれたＡＦ評価値に基づいて探索され、フォーカスレンズ１２は発見された合焦点に配置される。これによって、ＬＣＤモニタ３０に表示されるライブ画像の鮮鋭度が向上する。
【００３４】
シャッタボタン４０ｓｈが全押しされると、ＣＰＵ３６は、静止画取り込み処理を実行し、かつ記録処理の実行をメモリＩ／Ｆ４２に命令する。シャッタボタン４０ｓｈが全押しされた時点のシーンを表す画像データは、静止画取り込み処理によって表示画像エリア２６ａから記録画像エリア２６ｂに退避される。記録処理の実行を命令されたメモリＩ／Ｆ４２は、記録画像エリア２６ｂに退避された画像データをメモリ制御回路２４を通して読み出し、読み出された画像データをファイル形式で記録媒体４４に記録する。
【００３５】
投光制御処理は、以下の要領で実行される。まず、表示画像エリア２６ａに格納された最新フレームの画像データから低輝度領域（＝閾値ＴＨ＿ｌｏｗを下回る輝度を有する画素の塊が存在する領域）および高輝度領域（＝閾値ＴＨ＿ｈｉｇｈ以上の輝度を有する画素の塊が存在する領域）が探索され、表示画像エリア２６ａに格納された最新フレームの画像データのうち高輝度領域を除く領域の平均輝度が“Ｙａｖｅ”として算出される。
【００３６】
平均輝度Ｙａｖｅが基準値ＲＥＦ以上でかつ低輝度領域が探知されなければ、表示画像エリア２６ａに格納された最新フレームの画像データの輝度は全体的に高く、プロジェクタ４６を起動する必要はないとみなされる。この場合、厳格ＡＥ処理およびＡＦ処理はプロジェクタ４６が停止された状態で実行される。
【００３７】
一方、平均輝度Ｙａｖｅが基準値ＲＥＦ以上であっても低輝度領域が探知されるか、或いは平均輝度Ｙａｖｅが基準値ＲＥＦを下回れば、表示画像エリア２６ａに格納された最新フレームの画像データの輝度分布にばらつきがあるか、或いは表示画像エリア２６ａに格納された最新フレームの画像データの輝度は全体的に低いとみなされる。
【００３８】
この場合、人物の顔を各々が表す１または２以上の顔画像が、表示画像エリア２６ａに格納された最新フレームの画像データから追加的に探索される。顔探索が完了すると、平均輝度Ｙａｖｅと基準値ＲＥＦとの大小関係に応じて異なる要領で投光領域が指定される。
【００３９】
つまり、平均輝度Ｙａｖｅが基準値ＲＥＦ以上であれば、表示画像エリア２６ａに格納された最新フレームの画像データの輝度分布にばらつきがあるとして、低輝度領域が投光領域として指定されるとともに、１または２以上の顔画像のうち低輝度の顔画像の領域（厳密には頭部領域）が投光領域として指定される。
【００４０】
これに対して、平均輝度Ｙａｖｅが基準値ＲＥＦを下回れば、表示画像エリア２６ａに格納された最新フレームの画像データの輝度は全体的に低いとして、まず表示画像エリア２６ａに格納された最新フレームの画像データの全体を投光領域として指定される。続いて、高輝度領域が投光領域から除外され、１または２以上の顔画像のうち高輝度の顔画像の領域（厳密には頭部領域）が投光領域から除外される。
【００４１】
したがって、図５（Ａ）に示す画像データに基づいて算出された平均輝度Ｙａｖｅが基準値ＲＥＦ以上であり、犬小屋ＤＨ１の内側を表す領域が低輝度領域として探知され、そして人物ＰＳ１の顔を表す領域が低輝度の顔画像の領域として検出された場合、投光領域は図５（Ｂ）に示す要領で指定される。
【００４２】
また、図７（Ａ）に示す画像データに基づいて算出された平均輝度Ｙａｖｅが基準値を下回り、窓ＷＮＤ１および照明ＬＧＴ１の各々を表す領域が高輝度領域として探知され、そして人物ＰＳ２の顔を表す領域が高輝度の顔画像の領域として検出された場合、投光領域は図７（Ｂ）に示す要領で指定される。
【００４３】
投光パターンは、こうして指定された投光領域に相当する一部のシーンに光を限定的に投射するように定義される。定義された投光パターンはプロジェクタ４６に設定され、プロジェクタ４６は、定義された投光パターンを有する光学像を撮像面の前方に向けて投射する。この結果、投光後の画像データの輝度は、図５（Ａ）に示す画像データに対して図６に示すように改善され、図７（Ａ）に示す画像データに対して図８に示すように改善される。
【００４４】
ＣＰＵ３６は、図９〜図１２に示す撮像タスクを含む複数のタスクをマルチタスクＯＳの上で並列的に実行する。なお、これらのタスクに相当する制御プログラムはフラッシュメモリ３８に記憶される。
【００４５】
図９を参照して、ステップＳ１では動画取り込み処理を開始するこの結果、撮像面で捉えられたシーンを表すスルー画像がＬＣＤモニタ３０に表示される。ステップＳ３ではシャッタボタン４０ｓｈが半押しされたか否かを判別し、判別結果がＮＯである限りステップＳ５の簡易ＡＥ処理を繰り返し実行する。この結果、信号処理回路２２から出力される画像データの輝度ひいてはＬＣＤモニタ３０に表示されるスルー画像の明るさが適度に調整される。
【００４６】
ステップＳ３の判別結果がＮＯからＹＥＳに更新されると、ステップＳ７で投光制御処理を実行する。プロジェクタ４６は、信号処理回路２２から出力される画像データの輝度が全体的に低いか、或いは輝度分布にばらつきがある場合に起動される。これによって、信号処理回路２２から出力される画像データの輝度が全体的に増大する。
【００４７】
投光制御処理が完了すると、ステップＳ９で厳格ＡＥ処理およびＡＦ処理を実行する。厳格ＡＥ処理およびＡＦ処理のいずれも、信号処理回路２２から出力された画像データ（＝全体的に輝度が増大した画像データ）に基づいて実行される。この結果、スルー画像の明るさおよび鮮鋭度が向上する。
【００４８】
ステップＳ１１ではシャッタボタン４０ｓｈが全押しされたか否かを判別し、ステップＳ１３ではシャッタボタン４０ｓｈの操作が解除されたか否かを判別する。ステップＳ１３の判別結果がＮＯであればそのままステップＳ１９に進む一方、ステップＳ１１の判別結果がＹＥＳであればステップＳ１５〜Ｓ１７の処理を経てステップＳ１９に進む。
【００４９】
ステップＳ１５で静止画取り込み処理を実行し、ステップＳ１７で記録処理の実行をメモリＩ／Ｆ４２に命令する。シャッタボタン４０ｓｈが全押しされた時点のシーンを表す画像データは、静止画取り込み処理によって表示画像エリア２６ａから記録画像エリア２６ｂに退避される。退避された画像データは、メモリＩ／Ｆ４２によって読み出され、ファイル形式で記録媒体４４に記録される。
【００５０】
ステップＳ１９ではプロジェクタ４６を停止し、その後にステップＳ３に戻る。なお、ステップＳ７でプロジェクタ４６が起動されなかったときは、ステップＳ１９の処理は意味をなさない。
【００５１】
ステップＳ７の投光制御処理は、図１０〜図１２に示すサブルーチンに従って実行される。ステップＳ２１では、表示画像エリア２６ａに格納された最新フレームの画像データから低輝度領域を探索する。ステップＳ２３では低輝度領域が探知されたか否かを判別し、判別結果がＹＥＳであればステップＳ２５でフラグＦＬＧ＿ｌｏｗを“１”に設定する一方、判別結果がＮＯであればステップＳ２７でフラグＦＬＧ＿ｌｏｗを“０”に設定する。
【００５２】
ステップＳ２５またはＳ２７の処理が完了すると、表示画像エリア２６ａに格納された最新フレームの画像データから高輝度領域を探索する。ステップＳ３１では高輝度領域が探知されたか否かを判別し、判別結果がＹＥＳであればステップＳ３３でフラグＦＬＧ＿ｈｉｇｈを“１”に設定する一方、判別結果がＮＯであればステップＳ３５でフラグＦＬＧ＿ｈｉｇｈを“０”に設定する。
【００５３】
ステップＳ３３またはＳ３５の処理が完了するとステップＳ３７に進み、表示画像エリア２６ａに格納された最新フレームの画像データのうち上述した高輝度領域を除く領域の平均輝度を“Ｙａｖｅ”として算出する。ステップＳ３９では、算出された平均輝度Ｙａｖｅが基準値ＲＥＦ以上でかつフラグＦＬＧ＿ｌｏｗが“０”を示すという論理積条件が満足されるか否かを判別する。
【００５４】
判別結果がＹＥＳであれば、表示画像エリア２６ａに格納された最新フレームの画像データの輝度は全体的に高く、プロジェクタ４６を起動する必要はないとみなし、そのまま上階層のルーチンに復帰する。これに対して、判別結果がＮＯであれば、輝度分布にばらつきがあるか、或いは表示画像エリア２６ａに格納された最新フレームの画像データの輝度は全体的に低いとみなし、プロジェクタ４６を起動するべくステップＳ４１に進む。
【００５５】
ステップＳ４１では、人物の顔を各々が表す１または２以上の顔画像を表示画像エリア２６ａに格納された最新フレームの画像データから探索する。ステップＳ４３では少なくとも１つの顔画像が探知されたか否かを判別し、判別結果がＹＥＳであればステップＳ４５でフラグＦＬＧ＿ｆａｃｅを“１”に設定する一方、判別結果がＮＯであればステップＳ４７でフラグＦＬＧ＿ｆａｃｅを“０”に設定する。
【００５６】
ステップＳ４５またはＳ４７の処理が完了すると、平均輝度Ｙａｖｅが基準値ＲＥＦ以上であるか否かをステップＳ４９で判別する。判別結果がＹＥＳであれば、表示画像エリア２６ａに格納された最新フレームの画像データの輝度分布にばらつきがあるとみなし、ステップＳ５１〜Ｓ５５の処理を経てステップＳ５７に進む。これに対して判別結果がＮＯであれば、表示画像エリア２６ａに格納された最新フレームの画像データの輝度は全体的に低いとみなし、ステップＳ６１〜Ｓ６９の処理を経てステップＳ５７に進む。
【００５７】
ステップＳ５１では、ステップＳ２１の処理によって探知された低輝度領域を投光領域として指定する。ステップＳ５３ではフラグＦＬＧ＿ｆａｃｅが“１”であるか否かを判別し、判別結果がＮＯであればステップＳ５７に進む一方、判別結果がＹＥＳであればステップＳ５５に進む。ステップＳ５５では、ステップＳ４１の処理によって探知された１または２以上の顔画像のうち低輝度の顔画像の領域を投光領域として指定し、指定が完了するとステップＳ５７に進む。
【００５８】
一方、ステップＳ６１では、表示画像エリア２６ａに格納された最新フレームの画像データの全体を投光領域として指定する。ステップＳ６３ではフラグＦＬＧ＿ｈｉｇｈが“１”であるか否かを判別し、ステップＳ６７ではフラグＦＬＧｆａｃｅが“１”であるか否かを判別する。
【００５９】
ステップＳ６３の判別結果がＹＥＳであればステップＳ６５に進み、ステップＳ２９の処理によって探知された高輝度領域を投光領域から除外する。また、ステップＳ６７の判別結果がＹＥＳであればステップＳ６９に進み、ステップＳ４１の処理によって探知された１または２以上の顔画像のうち高輝度の顔画像の領域を投光領域から除外する。ステップＳ６７でＮＯと判別されるか、或いはステップＳ６９の処理が完了すると、ステップＳ５７に進む。
【００６０】
ステップＳ５７では、上述の要領で指定された投光領域に相当する一部のシーンに光を限定的に投射する投光パターンを定義し、定義された投光パターンをプロジェクタ４６に設定する。設定が完了するとステップＳ５９でプロジェクタ４６を起動し、その後に上階層のルーチンに復帰する。
【００６１】
以上の説明から分かるように、撮像装置１６は、撮像面で捉えられた光学像に対応する生画像データを繰り返し出力し、信号処理回路２２は出力された生画像データをＹＵＶ形式の画像データに変換する。ＣＰＵ３６は、信号処理回路２２から出力された画像データの輝度分布に対して相補的な照度分布を示す投光パターンをシャッタボタン４０ｓｈの半押しに応答して定義し(S51~S57, S61~S69)、定義された投光パターンを有する光学像を撮像面の前方に向けて投射するべくプロジェクタ４６を起動する(S59)。ＣＰＵ３６はまた、光学像が投光された後に信号処理回路２２から出力された画像データに基づいて撮像面の露光量を調整し(S9)、露光調整の後に信号処理回路２２から出力された画像データを記録のために取得する(S15)。
【００６２】
撮像面の前方に向けて投射される光学像は、撮像面で捉えられたシーンを表す画像データの輝度分布に対して相補的な照度分布を有する。撮像面の露光量は光学像の投射の後に作成された画像データに基づいて調整され、記録のための画像データは露光調整の後に取得される。これによって、記録画像の品質を高めることができる。
【００６３】
なお、この実施例では、マルチタスクＯＳおよびこれによって実行される複数のタスクに相当する制御プログラムは、フラッシュメモリ４２に予め記憶される。しかし、図１３に示すように通信Ｉ／Ｆ４８をディジタルカメラ１０に設け、一部の制御プログラムを内部制御プログラムとしてフラッシュメモリ３８に当初から準備する一方、他の一部の制御プログラムを外部制御プログラムとして外部サーバから取得するようにしてもよい。この場合、上述の動作は、内部制御プログラムおよび外部制御プログラムの協働によって実現される。
【００６４】
また、この実施例では、ＣＰＵ３６によって実行される処理を上述の要領で複数のタスクに区分するようにしている。しかし、各々のタスクをさらに複数の小タスクに区分してもよく、さらには区分された複数の小タスクの一部を他のタスクに統合するようにしてもよい。また、各々のタスクを複数の小タスクに区分する場合、その全部または一部を外部サーバから取得するようにしてもよい。
【符号の説明】
【００６５】
１０  …ディジタルカメラ
１６  …撮像装置
３０  …ＬＣＤモニタ
３６  …ＣＰＵ
４４  …記録媒体
４６  …プロジェクタ
【図１】
2013126200.tif 000003
【図２】
2013126200.tif 000004
【図３】
2013126200.tif 000005
【図４】
2013126200.tif 000006
【図５】
2013126200.tif 000007
【図６】
2013126200.tif 000008
【図７】
2013126200.tif 000009
【図８】
2013126200.tif 000010
【図９】
2013126200.tif 000011
【図１０】
2013126200.tif 000012
【図１１】
2013126200.tif 000013
【図１２】
2013126200.tif 000014
【図１３】
2013126200.tif 000015